(57)【要約】【課題】吸込みグリルの昇降動作に関する情報をリモコンに表示しながらも、リモコン表示に要する電力消費量を節減することのできる空気調和機を提供する。【解決手段】吸込みグリル６の上昇または下降が指示されてから実際に昇降動作を開始するまでの間に動作表示部９ａにより昇降動作に関する情報を表示し、実際に昇降動作を開始した後は動作表示部９ａの表示を消灯するようにした。【選択図】図５
2010032186.tif 000002
【特許請求の範囲】
【請求項１】
天井に埋設されあるいは天井から吊り下げられて昇降可能な吸込みグリルと、
前記吸込みグリルの昇降動作を設定する操作部及び昇降動作に関する情報を表示する動作表示部を備えたリモコンとを有し、
前記リモコンは、その操作部に対して昇降動作の設定が行われた際に前記吸込みグリルの昇降動作に関する情報を前記動作表示部に表示し、
前記吸込みグリルが昇降動作を開始した後は前記動作表示部の表示を消灯する
ことを特徴とする空気調和機。
【請求項２】
前記リモコンは、
前記吸込みグリルの昇降動作が完了したときに、昇降動作が完了したことを表す情報を前記動作表示部に所定時間表示する
ことを特徴とする請求項１記載の空気調和機。
【請求項３】
前記吸込みグリルの昇降動作中において、
前記リモコンは、
前記操作部に前記吸込みグリルの昇降動作を停止する設定が行われた場合、吸込みグリルの昇降動作が停止したことを表す情報を前記リモコンの動作表示部に所定時間表示する
ことを特徴とする請求項１または請求項２に記載の空気調和機。
【請求項４】
前記吸込みグリルの昇降動作が中途停止している状態において、
前記リモコンは、
前記操作部に前記吸込みグリルの昇降動作を開始する設定が行われた場合、吸込みグリルの昇降動作に関する情報を前記動作表示部に所定時間表示する
ことを特徴とする請求項１〜請求項３のいずれかに記載の空気調和機。
【請求項５】
前記リモコンは、
前記吸込みグリルの昇降動作に対して注意を促すための情報を表示する注意喚起表示部を備えた
ことを特徴とする請求項１〜請求項４のいずれかに記載の空気調和機。
【請求項６】
前記リモコンは、
前記吸込みグリルの昇降動作が完了するまでの時間を表示する時間表示部を備えた
ことを特徴とする請求項１〜請求項５のいずれかに記載の空気調和機。
【発明の詳細な説明】
【技術分野】
【０００１】
本発明は、天井に埋設されあるいは天井から吊り下げられて昇降可能な吸込みグリルを有する空気調和機に関する。
【背景技術】
【０００２】
従来の空気調和機においては、「熱交換器、送風機を有したユニット本体を天井内に埋設、若しくは天井から吊下げ、前記ユニット本体の下部に吸い込みグリルを有した化粧パネルを備えた天井埋込型空気調和機において、昇降自在とされた吸い込みグリルと、ユニット本体に接続されたリモコンと、リモコンに吸い込みグリルが昇降中であることを表示する手段とを備えた」ものが提案されている（例えば、特許文献１参照）。
【０００３】
【特許文献１】特許第２８８０４９１号公報（第２頁、図１、図２）
【発明の開示】
【発明が解決しようとする課題】
【０００４】
従来の空気調和機では、吸込みグリルが昇降動作を行っている間は、その動作情報が常にリモコンに表示され続けている。このため、昇降動作中のリモコン表示に要する電力消費量が嵩むという問題があった。
【０００５】
本発明は、上記のような課題を解決するためになされたものであり、吸込みグリルの昇降動作に関する情報をリモコンに表示しながらも、リモコン表示に要する電力消費量を節減することのできる空気調和機を提供するものである。
【課題を解決するための手段】
【０００６】
本発明に係る空気調和機は、
天井に埋設されあるいは天井から吊り下げられて昇降可能な吸込みグリルと、
前記吸込みグリルの昇降動作を設定する操作部及び昇降動作に関する情報を表示する動作表示部を備えたリモコンとを有し、
前記リモコンは、その操作部に対して昇降動作の設定が行われた際に前記吸込みグリルの昇降動作に関する情報を前記動作表示部に表示し、
前記吸込みグリルが昇降動作を開始した後は前記動作表示部の表示を消灯する
ことを特徴とするものである。
【発明の効果】
【０００７】
本発明に係る空気調和機によれば、吸込みグリルが昇降動作を開始した後は動作表示部の表示を消灯するようにしたので、リモコン表示に要する電力消費量を節減することができる。
【発明を実施するための最良の形態】
【０００８】
実施の形態１．
図１は本発明の実施の形態１に係る天井埋込型空気調和機の室内機の斜視図であり、吸込みグリルが下降した状態を示す。図２はリモコンの構成を示す正面模式図、図３は室内機の機能的な構成を示すブロック図である。
【０００９】
図１において、空気調和機の室内機１は、外形がほぼ箱状の筐体であり、内部には図示しない熱交換器、ドレンパン、送風機、ファン、ファンモータ等が配置されている。室内機１の下側には、後述の吸込みグリル６を昇降させるための昇降キット２が取り付けられている。そして、室内機１の下方の開口部を覆うようにして、化粧パネル３が天井に埋設されている。化粧パネル３の中央部には、吸込みグリル６がワイヤ５によって吊されている。ワイヤ５は、昇降キット２に繋がれており、昇降キット２内部に設けられた図示しないモータの動作によって上げ下げされる。これにより、吸込みグリル６は昇降動作を行うことができる。また、吸込みグリル６の上部には、フィルター４が設けられている。フィルター４は、吸込みグリル６に着脱自在に装着されており、ユーザは吸込みグリル６を下降させてフィルター４の着脱を行うことができる。
【００１０】
また、室内機１にはリモコン線８を介してリモコン７が接続されている。リモコン７は、壁等に配設されており、空気調和機の運転や吸込みグリル６の昇降動作などに関する操作を行うためのものである。なお、有線のリモコン線８を設けず、無線によってリモコン７と室内機１とを接続することとしてもよい。
【００１１】
図３により本実施の形態１に係る機能構成について説明する。室内機制御部１１０は、室内機１に内蔵されており、例えばマイクロプロセッサ等により構成されている。室内機制御部１１０は、昇降制御部２０１及びリモコン制御部７０１と電気的に接続され、昇降制御部２０１やリモコン制御部７０１からの信号を受信して、各種運転動作に関する制御を行う。
【００１２】
昇降制御部２０１は、昇降キット２のモータ２０３を駆動制御するモータドライバ２０２と接続され、吸込みグリル６の昇降動作の制御を行う。リモコン制御部７０１は、リモコン７の操作部１０及び表示部９に接続されており、操作部１０からの操作信号に基づいて室内機制御部１１０に信号を送信するとともに、表示部９に対する表示指示を行う。
【００１３】
図２より本実施の形態１に係るリモコン７について説明する。リモコン７は、押下により信号を送信して空気調和機の運転等の機能を実行させるための操作部１０と、空気調和機の動作状態などを表示する表示部９とを備えている。表示部９は、フルドット液晶画面で構成されており、空気調和機の運転モード、風速、設定温度などの動作情報や、ユーザに対するメッセージなどを表示する。表示内容は動作状態によって随時切り替わる。操作部１０は、運転／停止ボタン１０１、メニューボタン１０２、戻るボタン１０３、決定ボタン１０４、及びファンクションボタン１０ａ、１０ｂ、１０ｃ、１０ｄ（以下、Ｆ１ボタン、Ｆ２ボタン、Ｆ３ボタン、Ｆ４ボタンと称する場合がある）により構成されている。ファンクションボタン１０ａ〜１０ｄには、実行する機能や動作に合わせて、必要な機能が適宜割り当てられる。
【００１４】
図４によりリモコン７の基本的な動作及び表示について説明する。なお、図４（ａ）、図４（ｂ）、図４（ｃ）は、リモコン７の表示が切り替わる様子を示している。
【００１５】
図４（ａ）は、室内機１が通常の冷房運転を行っているときの状態を示している。表示部９は、上部左から順に、風速モード「自動」、設定温度「２８℃」、運転モード「冷房」という冷房運転に関する情報を表示している。また、これらの下部に表示された白抜き文字の領域（「風速」、「−」、「＋」、「モード」）は、Ｆ１〜Ｆ４ボタンに割り当てられた機能を表示している。例えば、Ｆ１ボタンの真上には「風速」と表示しているが、これは、Ｆ１ボタンが風速切り替えの機能を有することを示している。したがって、Ｆ１ボタンを押すと、風速を例えば自動→弱→中→強→自動といったように切り替えることができる。
【００１６】
図４（ｂ）は、図４（ａ）の状態においてメニューボタン１０２を押下し、表示部９にメニュー選択画面を表示した状態を示す。メニュー選択画面には、空気調和機の運転動作や各種設定を行うための機能がメニューとして一覧表示されている。一覧表示されたメニューのうち１つの項目が選択された状態となっており、選択されている位置は白抜き文字で表示されている（図４（ｂ）の表示部９の最上行）。
【００１７】
図４（ｂ）においては、Ｆ１ボタン、Ｆ２ボタンはそれぞれ選択する項目を上下に移動させる機能を有しており、Ｆ１ボタンを押下すると下の項目を選択し、Ｆ２ボタンを押下すると上の項目を選択する。Ｆ１ボタン、Ｆ２ボタンで任意のメニュー項目を選択し、決定ボタン１０４を押下すると、選択されているメニューの機能が実行される。例えば、図４（ｂ）に示す「吸込みグリル自動昇降」メニューを選択した状態で決定ボタン１０４を押下すると、図４（ｃ）に示すように表示部９の表示が切り替わり、吸込みグリル自動昇降に関する設定及び操作が可能となる。
【００１８】
ここで、液晶画面の表示量と、その電力消費量とは比例関係にある。即ち、表示部９（液晶画面）での表示量が多いほど、リモコン７で消費される電力が増加する。したがって、電力節減の観点からすれば、表示部９への表示は必要最小限に止めることが望ましい。
しかし、徒に表示内容を減少または縮小させると、電力消費量は節減できるものの、ユーザに十分な情報の通知が行えない上に視認性の低下も懸念される。そうなると、空気調和機に関する安全性を十分に確保することができないおそれがある。特に、吸込みグリル６を昇降させる場合、近傍にいる人が頭を衝突させてしまうなどの不都合が生じうるため、吸込みグリル６の昇降動作に関する情報を十分にユーザに伝えることが必要となる。
【００１９】
図５は、本実施の形態１に係るリモコン７の構成を示す正面模式図である。図５（ａ）〜図５（ｃ）は、吸込みグリル６が昇降動作を行うときの表示部９の状態を示しており、以下、順に説明する。
【００２０】
図５（ａ）は、吸込みグリル６の自動昇降を行う場合のリモコン７の初期状態を示している。図５（ａ）は、表示部９には「吸込みグリル自動昇降」という文字が表示されている。ここで、Ｆ１ボタンは吸込みグリル６の下降、Ｆ２ボタンは吸込みグリル６の上昇の設定を行う機能を有している。
そして、吸込みグリル６が上昇位置にある状態において、Ｆ１ボタンを押下すると、吸込みグリル６の下降動作が開始する。
【００２１】
次に、図６により吸込みグリル６の昇降動作の動作フローについて説明する。
操作部１０のＦ１ボタンが押下されると（Ｓ５１）、リモコン制御部７０１によりリモコン信号が送信される（Ｓ５２）。このリモコン信号は、リモコン線８を介して室内機制御部１１０に伝達される。室内機制御部１１０は、受信したリモコン信号に基づいて、昇降制御部２０１に対して吸込みグリル６の昇降動作指示を行う（Ｓ５３）。昇降制御部２０１は、受信した信号に基づいて、吸込みグリル６を昇降駆動するモータ２０３の回転方向や運転状態を制御するモータドライバ２０２に対し、昇降動作の制御信号を送信する（Ｓ５４）。この信号に基づいてモータドライバ２０２はモータ２０３を駆動させる（Ｓ５５、Ｓ５６）。モータ２０３が駆動することにより、ワイヤ５が緩み、吸込みグリル６の下降動作が開始する。
【００２２】
また、操作部１０のＦ１ボタンが押下されると（Ｓ５１）、リモコン制御部７０１は表示部９に対して表示指示を行う（Ｓ５７）。この表示指示を受けると、表示部９は、動作表示部９ａに昇降動作に関する情報を表示する（Ｓ５８）。動作表示部９ａの表示は、図５（ｂ）に示すように例えば「今から吸込みグリルが下降します。」などの文字で表示することができる。そして、モータ２０３が駆動を開始すると（Ｓ５６）、この駆動開始情報が所定の手順によりリモコン制御部７０１に伝達され（Ｓ５９）、リモコン制御部７０１は表示部９に対して表示停止指示を行う（Ｓ６０）。表示部９は、リモコン制御部７０１からの表示停止指示に基づいて動作表示部９ａの表示を消灯し、図５（ｃ）に示す状態となる。
【００２３】
すなわち、リモコン７の表示部９は、操作部１０によって昇降動作が指示されてから実際に吸込みグリル６が昇降動作を開始するまでの間、動作表示部９ａにより昇降動作に関する情報の表示を行う。
【００２４】
図６に示したように、Ｆ１ボタンを押下して吸込みグリル６の下降が指示されてから実際に吸込みグリル６の下降動作が開始するまでの間には、図６のステップＳ５１〜Ｓ５６で示したような信号処理の時間が必要であり、また、ワイヤ５の遊びにより吸込みグリル６が下降を開始するまで更にある程度の時間を要する。
本実施の形態１では、吸込みグリル６の下降が指示されてから実際に昇降動作を開始するまでの間に動作表示部９ａにより昇降動作に関する情報を表示し、実際に昇降動作を開始した後は動作表示部９ａの表示を消灯するようにした。このため、昇降動作を開始する際においては、ユーザにその旨を報知することができ、ユーザは吸込みグリル６の昇降動作を認識することができる。したがって、吸込みグリル６が上昇あるいは下降するときにユーザに衝突してしまうと行った事態を、ユーザは能動的に回避することができる。
【００２５】
また、実際に吸込みグリル６が昇降動作を開始した後は、動作表示部９ａの表示を消灯するようにしたので、電力消費を節減することができる。このように本実施の形態１によれば、吸込みグリル６の昇降動作に関する必要な情報を伝達しつつ、リモコン７への表示にかかる電力消費を節減することができる。
【００２６】
なお、前述の図５では、吸込みグリル６を下降させる場合の例を表しているが、吸込みグリル６を上昇させる場合においても、同様の表示を行うことができる。例えば、図５（ａ）において、Ｆ２ボタンを押下すると、吸込みグリル６の上昇動作が開始され、表示部９は「今から吸込みグリルが上昇します。」などの表示を動作表示部９ａにて行う。そして、実際の吸込みグリル６が上昇動作を開始すると、動作表示部９ａの表示を消灯する。
【００２７】
また、本実施の形態１では、リモコン７の表示部９ではフルドット液晶に文字表示を行う場合の例について説明したが、同等の内容をアイコンを用いて表示することとしてもよい。
図１２は、リモコン７の他の例であり、前述の表示部９の代わりにアイコンで情報を表示する表示部１３を備えている。また、リモコン７を操作するための操作部として、操作部１５を備えている。操作部１５は、室内機１の運転／停止を指示するボタンや、吸込みグリル６の上昇／下降を指示する上昇ボタン１５ａ、下降ボタン１５ｂなどを備えている。
【００２８】
図１２（ａ）は、室内機１が運転を停止している状態を示しており、表示部１３の画面右上には、停止状態を示す黒い矩形が表示されている。この状態において、例えば、吸込みグリル６の下降ボタン１５ｂが押下されると、図１２（ｂ）に示すように、表示部１３に逆三角形マーク１４が表示される。ここで逆三角形マーク１４は、吸込みグリル６の下降動作のシンボル表示である。そして、上述の通り、下降ボタン１５ｂが押下されてから実際に吸込みグリル６が下降動作を開始するまでの間のみ逆三角形マーク１４を表示し、下降動作を開始した後は逆三角形マーク１４を消灯する（図１２（ｃ））。このように、アイコンで情報を表示する表示部１３を備えた場合であっても、同等の表示を実現することができる。
【００２９】
実施の形態２．
前述の実施の形態１では、吸込みグリル６の昇降動作が指示されてから実際に昇降動作を開始するまでの間に動作表示部９ａにより昇降動作に関する情報を表示し、それ以降、つまり吸込みグリル６が昇降動作を開始した後は表示を消灯するようにしていた。本実施の形態２では、吸込みグリル６の昇降動作が完了したときに、動作が完了したことを表す情報を所定時間リモコン７に表示する場合の例について説明する。なお、前述の実施の形態１と同一の構成要素については同一の符号を付している。
【００３０】
図７は、本実施の形態２に係るリモコン７の正面模式図である。
図７（ａ）は、吸込みグリル６が下降動作を行っている最中の表示であり、表示部９には「吸込みグリル自動昇降」とのみ表示されている。
【００３１】
ここで、吸込みグリル６の下降動作が完了すると、図７（ｂ）に示すように、表示部９は動作表示部９ｂに昇降動作が完了した旨の表示を行う。動作表示部９ｂの表示は、例えば「吸込みグリルの下降が完了しました。」などの文字で表示することができる。また、文字の代わりにアイコンや画像等を用いて表示を行ってもよい。この表示を行うことにより、ユーザは吸込みグリル６の動作状態を正しく認識することができる。
そして、動作表示部９ｂの表示を行ってから所定時間が経過すると、図７（ｃ）に示すように、動作表示部９ｂの表示を消灯する。所定時間としては、ユーザが動作表示部９ｂの内容を認識するのに必要十分な時間を適宜定める。
【００３２】
なお、図７においては、吸込みグリル６が下降動作を行う場合の例について説明しているが、上昇動作を行う場合においても同様の表示を行うことができる。この場合、吸込みグリル６の上昇動作が完了したときには例えば「吸込みグリルの上昇が完了しました。」や、「吸込みグリルのセットが完了しました。」など、ユーザに吸込みグリル６の状態を知らせるのに適切な表示を動作表示部９ｂにて行う。そして、所定時間経過後は、この表示を消灯する。
【００３３】
以上のように、本実施の形態２によれば、吸込みグリル６の昇降動作が完了したときに、昇降動作が完了したことを示す情報を動作表示部９ｂにて所定時間だけ表示し、その後は該表示を消灯するようにした。このため、吸込みグリル６の昇降動作が完了したか否かをユーザに適切に報知できるとともに、その報知に要する電力消費を節減することができる。
【００３４】
なお、本実施の形態２で説明した動作表示部９ｂは、前述の実施の形態１と組み合わせて適用することが可能であり、同様の効果を得ることができる。
【００３５】
実施の形態３．
前述の実施の形態２では、吸込みグリル６の昇降動作が完了した際に、昇降動作が完了したことを示す情報を、動作表示部９ｂに所定時間表示していた。ところで、吸込みグリル６の昇降動作においては、昇降動作の操作を行ってから昇降動作を完了するまでの間にユーザが途中で昇降動作を停止させる場合がある。本実施の形態３では、昇降動作を途中で停止させた場合に、所定時間リモコン７に昇降動作に関する表示を行う場合の例について説明する。なお、前述の実施の形態１〜２と同一の構成要素については同一の符号を付している。
【００３６】
図８は、本実施の形態３に係るリモコン７の正面模式図である。
図８（ａ）は、吸込みグリル６が下降動作を行っている最中の表示であり、表示部９には「吸込みグリル自動昇降」とのみ表示されている。
【００３７】
ここで、吸込みグリル６の上昇ボタンとして機能するＦ２ボタンが押下されると、吸込みグリル６は下降動作を停止する。このとき、図８（ｂ）に示すように、表示部９は動作表示部９ｃに昇降動作を停止した旨の表示を行う。動作表示部９ｃの表示は、例えば「吸込みグリルの下降が停止しました。」などの文字で表示することができる。また、文字の代わりにアイコンや画像等を用いて表示を行ってもよい。この表示を行うことにより、ユーザは吸込みグリル６の動作状態を正しく認識することができる。
そして、動作表示部９ｃの表示を行ってから所定時間が経過すると、図８（ｃ）に示すように、動作表示部９ｃの表示を消灯する。所定時間としては、ユーザが動作表示部９ｃの内容を認識するのに必要十分な時間を適宜定める。
【００３８】
なお、図８においては、吸込みグリル６の下降動作が途中で停止された場合の例について説明しているが、上昇動作を行う場合においても同様の表示を行うことができる。この場合、吸込みグリル６の上昇動作が停止されたときに、例えば「吸込みグリルの上昇が停止しました。」など、ユーザに吸込みグリル６の状態を知らせるのに適切な表示を動作表示部９ｃにて行う。そして、所定時間経過後は、この表示を消灯する。
【００３９】
以上のように、本実施の形態３によれば、吸込みグリルの昇降動作が途中で停止されたときに、昇降動作が停止したことを示す情報を動作表示部９ｃにて所定時間だけ表示し、その後は該表示を消灯するようにした。このため、吸込みグリル６の昇降停止状態をユーザに適切に報知できるとともに、その報知に要する電力消費を節減することができる。
【００４０】
なお、本実施の形態３で説明した動作表示部９ｃは、前述の実施の形態１、２と組み合わせて適用することが可能であり、同様の効果を得ることができる。
【００４１】
実施の形態４．
前述の実施の形態３では、吸込みグリル６の昇降動作が途中で停止された場合に、吸込みグリル６の停止状態を示す情報を所定時間だけ動作表示部９ｃにより表示していた。実施の形態３で示したように吸込みグリル６の昇降動作が途中で停止された状態においては、ユーザによって再び昇降動作が開始される場合がある。本実施の形態４では、昇降動作を途中で停止させた後、再開した場合におけるリモコン７の昇降動作表示について説明する。なお、前述の実施の形態１〜３と同一の構成要素については同一の符号を付している。
【００４２】
図９は、本実施の形態４に係るリモコン７の正面模式図である。
図９（ａ）は、吸込みグリル６が下降動作を途中で停止している場合の表示であり、表示部９には「吸込みグリル自動昇降」とのみ表示されている。
【００４３】
ここで、吸込みグリル６の下降ボタンとして機能するＦ１ボタンが押下されると、吸込みグリル６は下降動作を再開する。そして、図９（ｂ）に示すように、表示部９に動作表示部９ｄに昇降動作を示す情報を表示する。動作表示部９ｄの表示は、例えば「今から吸込みグリルが下降します。」などの文字で表示することができる。また、文字の代わりにアイコンや画像等を用いて表示を行ってもよい。この表示を行うことにより、ユーザは吸込みグリル６の動作状態を正しく認識することができる。
そして、吸込みグリル６が実際に下降動作を開始すると、図９（ｃ）に示すように、動作表示部９ｄの表示を消灯する。そして、吸込みグリル６が下降移動している最中は昇降動作情報は表示されない。
【００４４】
なお、図９においては、吸込みグリル６が下降動作を行う場合の例について説明しているが、上昇動作を行う場合においても同様の機能を実現することができる。この場合、吸込みグリル６の上昇動作の再開が指示されたときに、例えば「今から吸込みグリルが上昇します。」など、ユーザに吸込みグリル６の状態を知らせるのに適切な表示を行う。そして、実際に吸込みグリル６が昇降動作を開始すると、動作表示部９ｄの表示を消灯する。
【００４５】
なお、本実施の形態４で説明した動作表示部９ｄは、前述の実施の形態１〜３と組み合わせて適用することが可能であり、同様の効果を得ることができる。
【００４６】
以上のように、本実施の形態４によれば、吸込みグリル６の昇降動作が途中で停止された状態でユーザによって再び昇降動作が開始される場合において、吸込みグリル６の昇降動作の再開を行うための操作が行われてから吸込みグリル６の昇降動作が開始するまでの間は吸込みグリル６の昇降動作に関する情報を動作表示部９ｄに表示し、その後は該表示を消灯するようにした。このため、吸込みグリル６の昇降動作状態をユーザに適切に報知できるとともに、その報知に要する電力消費を節減することができる。
【００４７】
実施の形態５．
前述の実施の形態１〜４においては、吸込みグリル６の昇降動作に関する情報を、所定時間のみリモコン７に表示し、その後は表示を消灯していた。ところで、吸込みグリル６が昇降動作を行う場合において、近傍に人がいると、吸込みグリル６が頭に衝突してしまうなどの不都合が生じうる。本実施の形態５では、このような不都合を回避するために、ユーザに注意を喚起するための注意喚起表示部を設ける場合の例について説明する。なお、前述の実施の形態１〜４と同一の構成要素については同一の符号を付している。
【００４８】
図１０は、本実施の形態５に係るリモコン７の正面模式図である。図１０は、吸込みグリル６を下降させる場合において、下降させるためにＦ１ボタンを押下してから吸込みグリル６が実際に下降動作を開始するまでの状態を示している。
【００４９】
リモコン７の表示部９には、吸込みグリル６の昇降動作に関する情報を表示する動作表示部９ａと、吸込みグリル６の昇降動作に伴う注意を促すための注意喚起表示部９ｅが設けられている。注意喚起表示部９ｅは、例えば「ご注意ください。」などのユーザに注意を促す情報を表示している。そして、実際に吸込みグリル６が昇降動作を開始すると、動作表示部９ａ及び注意喚起表示部９ｅの表示を消灯する。
【００５０】
以上のように、本実施の形態５によれば、吸込みグリル６の動作表示部９ａとともに注意喚起を呼びかけるための注意喚起表示部９ｅを設けて表示するようにしたので、吸込みグリル６の昇降動作の状態や昇降方向をユーザに報知できるとともに、吸込みグリル６の昇降動作に関する安全性を確保することができる。そして、実際に吸込みグリル６が昇降動作を開始すると、動作表示部９ａ及び注意喚起表示部９ｅの表示を消灯するようにしたので、表示に要する電力消費を節減することができる。
【００５１】
なお、本実施の形態５で説明した注意喚起表示部９ｅは、前述の実施の形態１〜４のいずれとも組み合わせて適用することが可能であり、同様の効果を得ることができる。
【００５２】
実施の形態６．
前述の実施の形態１〜４においては、吸込みグリル６の昇降動作に関する情報を、所定時間のみリモコン７に表示し、その後は表示を消灯していた。本実施の形態６においては、吸込みグリル６の昇降動作が完了するまでの時間を表示する場合の例について説明する。なお、前述の実施の形態１〜５と同一の構成要素については同一の符号を付している。
【００５３】
図１１は、本実施の形態６に係るリモコン７の正面模式図である。図１０は、吸込みグリル６を下降させる場合において、下降させるためにＦ１ボタンを押下してから吸込みグリル６が実際に下降動作を開始するまでの状態を示している。
【００５４】
リモコン７の表示部９には、動作表示部９ａと、注意喚起表示部９ｅ、及び吸込みグリル６が昇降動作を完了するまでの時間を表示する時間表示部９ｆが設けられている。時間表示部９ｆは、例えば「約○○秒後に下降が完了します。」などの昇降動作が完了するまでの時間情報を表示している。時間表示部９ｆの表示は、例えば１秒おきなど任意のタイミングで更新され、ユーザが適切に時間を把握できるようにする。そして、実際に吸込みグリル６が昇降動作を開始すると、動作表示部９ａ及び時間表示部９ｆの表示を消灯する。
【００５５】
なお、図１１では、「ご注意ください。」など注意喚起表示部９ｅも併せて設けており、このようにすることで、吸込みグリル６の昇降動作の安全性を確保することができる。
【００５６】
以上のように、本実施の形態６によれば、吸込みグリル６の動作表示部９ａとともに昇降動作が完了するまでの時間を表示する時間表示部９ｆを設けたので、吸込みグリル６の昇降動作の状態や昇降方向をユーザに報知できるとともに、吸込みグリル６の昇降動作に要する時間をユーザに通知することができる。このため、吸込みグリル６の昇降動作を行う際の使い勝手を向上させることができる。そして、実際に吸込みグリル６が昇降動作を開始すると、動作表示部９ａ及び時間表示部９ｆの表示を消灯するようにしたので、表示に要する電力消費を節減することができる。
【００５７】
なお、本実施の形態６で説明した時間表示部９ｆは、前述の実施の形態１〜５のいずれとも組み合わせて適用することが可能であり、同様の効果を得ることができる。
【図面の簡単な説明】
【００５８】
【図１】本発明の実施の形態１に係る天井埋込型空気調和機の室内機の斜視図であり、吸込みグリルが下降した状態を示す。
【図２】本発明の実施の形態１に係るリモコンの正面模式図である。
【図３】本発明の実施の形態１に係る室内機の機能的な構成を示すブロック図である。
【図４】本発明の実施の形態１〜６に係るリモコンの正面模式図である。
【図５】本発明の実施の形態１における、吸込みグリルが昇降動作する際のリモコンの正面模式図である。
【図６】本発明の実施の形態１に係る吸込みグリルの昇降動作フローである。
【図７】本発明の実施の形態２における、吸込みグリルが昇降動作を完了した時のリモコンの正面模式図である。
【図８】本発明の実施の形態３における、吸込みグリルが昇降動作を停止した時のリモコンの正面模式図である。
【図９】本発明の実施の形態４における、吸込みグリルが昇降動作する際のリモコンの正面模式図である。
【図１０】本発明の実施の形態５における、注意喚起表示部を設けた場合のリモコンの正面模式図である。
【図１１】本発明の実施の形態６における、時間表示部を設けた場合のリモコンの正面模式図である。
【図１２】本発明の実施の形態１における、吸込みグリルが昇降動作する際の他のリモコンの正面模式図である。
【符号の説明】
【００５９】
１  室内機、２  昇降キット、３  化粧パネル、４  フィルター、５  ワイヤ、６  吸込みグリル、７  リモコン、８  リモコン線、９  表示部、９ａ  動作表示部、９ｂ  動作表示部、９ｃ  動作表示部、９ｄ  動作表示部、９ｅ  注意喚起表示部、９ｆ  時間表示部、１０  操作部、１３  表示部、１４  逆三角形マーク、１５  操作部、１０１  運転／停止ボタン、１０２  メニューボタン、１０３  戻るボタン、１０４  決定ボタン、１１０  室内機制御部、２０１  昇降制御部、２０２  モータドライバ、２０３  モータ、７０１  リモコン制御部。
【図１】
2010032186.tif 000003
【図２】
2010032186.tif 000004
【図３】
2010032186.tif 000005
【図４】
2010032186.tif 000006
【図５】
2010032186.tif 000007
【図６】
2010032186.tif 000008
【図７】
2010032186.tif 000009
【図８】
2010032186.tif 000010
【図９】
2010032186.tif 000011
【図１０】
2010032186.tif 000012
【図１１】
2010032186.tif 000013
【図１２】
2010032186.tif 000014